(57)【特許請求の範囲】
【請求項１】
第一の表示器と、第二の表示器と、前記第一の表示器及び前記第二の表示器を制御する制御手段と、前記第二の表示器を起動させる操作部と、を備え、
前記制御手段は、前記第一の表示器及び前記第二の表示器が稼働状態である第一の表示状態と、前記第一の表示器が停止状態であり且つ前記第二の表示器が稼働状態である第二の表示状態とを切替えると共に、
前記制御手段は、メインスイッチがオフの状態で、前記操作部から操作信号を入力したとき、前記第一の表示器を停止状態のままで、前記第二の表示器を起動させ、前記操作部の操作に応じて、前記第二の表示器に表示される表示項目を切替えることを特徴とする表示装置。
【請求項２】
前記制御手段は、前記第一の表示状態で所定の物理量を前記第一の表示器に表示させ、前記第二の表示状態で前記物理量を前記第二の表示器に表示させることを特徴とする請求項１に記載の表示装置。
【請求項３】
前記第二の表示器は、複数の表示部を有することを特徴とする請求項１に記載の表示装置。
【請求項４】
前記制御手段は、前記第二の表示状態で、前記複数の表示部の内の１個の表示部のみを稼働状態にすることを特徴とする請求項３に記載の表示装置。
【発明の詳細な説明】
【技術分野】
【０００１】
本発明は、複数の表示器を備えた表示装置に関するものである。
【背景技術】
【０００２】
従来より、作業機械用表示装置が種々提案されており、例えば特許文献１に開示されている。斯かる作業機械用表示装置は、メインスイッチがオフである状態であっても、アワーメーター等の情報を確認できるものである。
【先行技術文献】
【特許文献】
【０００３】
【特許文献１】特開２０００−１４４８１４号公報
【発明の概要】
【発明が解決しようとする課題】
【０００４】
しかしながら、必要な情報を確認するために、表示器を起動させなければならないので、消費電力が大きいという問題を有していた。つまり、確認したい情報が、表示器の画面の一部のみに表示されるときであっても、表示器の画面全体をオンさせる必要があるため、消費電力が大きくなってしまう虞があった。
本発明は、この問題に鑑みなされたものであり、必要な情報を確認でき、且つ、消費電力が少ない表示装置を提供するものである。
【課題を解決するための手段】
【０００５】
本発明は、第一の表示器１１と、第二の表示器１２と、前記第一の表示器１１及び前記第二の表示器１２を制御する制御手段２０と、前記第二の表示器１２を起動させる操作部３０と、を備え、
前記制御手段２０は、前記第一の表示器１１及び前記第二の表示器１２が稼働状態である第一の表示状態と、前記第一の表示器１１が停止状態であり且つ前記第二の表示器１２が稼働状態である第二の表示状態とを切替えると共に、
前記制御手段２０は、メインスイッチがオフの状態で、前記操作部３０から操作信号を入力したとき、前記第一の表示器１１を停止状態のままで、前記第二の表示器１２を起動させ、前記操作部３０の操作に応じて、前記第二の表示器１２に表示される表示項目を切替えることを特徴とするものである。
【０００６】
また、本発明は、前記制御手段２０は、前記第一の表示状態で所定の物理量を前記第一の表示器１１に表示させ、前記第二の表示状態で前記物理量を前記第二の表示器１２に表示させるものである。
【０００７】
また、本発明は、前記第二の表示器１２は、複数の表示部１２ｂ，１２ｃを有するものである。
【０００８】
また、本発明は、前記制御手段２０は、前記第二の表示状態で、前記複数の表示部１２ｂ，１２ｃの内の１個の表示部１２ｃのみを稼働状態にするものである。
【発明の効果】
【０００９】
第一の表示器が停止状態であり且つ第二の表示器が稼働状態である第二の表示状態で必要な情報を確認できるため、消費電力が少ない。
【図面の簡単な説明】
【００１０】
【図１】本発明の実施形態を示すブロック図。
【図２】同上実施形態を示す正面図。
【図３】同上実施形態を示す正面図。
【図４】同上実施形態を示す表示移行図。
【発明を実施するための形態】
【００１１】
以下、添付図面に基づいて、本発明の一実施形態を説明する。作業機械用表示装置は、表示手段１０，制御手段２０，操作部３０を備えている。
【００１２】
表示手段１０は、液晶表示器（第一の表示器）１１と、液晶表示器（第二の表示器）１２とを有している。液晶表示器１２は、液晶表示器１１よりも小さくなっており、液晶表示器１１の上側に配置されている。液晶表示器１１は第一の表示部１１ａを有しており、この第一の表示部１１ａには、パワーメーター，燃料計，バックモニター等を選択的に表示可能である。
【００１３】
液晶表示器１２は、第二の表示部１２ｂ及び第三の表示部１２ｃを有している。液晶表示器１２の第二の表示部１２ｂには、時刻，ＥＣＯマーク，ショベルマーク，カメマーク，オイルマーク等を選択的に表示可能である。液晶表示器１２の第三の表示部１２ｃには、燃料計，アワーメーター等を選択的に表示可能である。第二の表示部１２ｂと第三の表示部１２ｃとは、異なる色で表示しても良いし、同じ色で表示しても良い。
【００１４】
制御手段２０は、ＣＰＵ２１，記憶部２２，入出力インターフェイス２４を有している。ＣＰＵ２１は、入出力インターフェイス２４を介して液晶表示器１１及び液晶表示器１２に接続されており、記憶部２２に格納されたプログラムに基づいて、液晶表示器１１及び液晶表示器１２を制御する。制御手段２０の記憶部２２は、ＲＯＭ２２ａ及びＲＡＭ２２ｂからなるものである。操作部３０は、押ボタンスイッチからなるものであり、液晶表示器２０の上側に配置されている。操作部３０は、押圧操作されたときに、制御手段２０に操作信号を出力する。
【００１５】
制御手段２０は、メインスイッチがオン状態であるとき、液晶表示器１１及び液晶表示器１２を稼働状態にする。制御手段２０は、液晶表示器１１の第一の表示部１１ａにパワーメーター及び燃料計を表示させ、液晶表示器１２には、時刻，ショベルマーク，カメマーク，燃料計，アワーメーター等を表示させる（第一の表示状態）。なお、液晶表示部１１の第一の表示部１１ａには、パワーメーター及び燃料計に代えて、バックモニターを表示可能である。制御手段２０は、メインスイッチがオフされたとき、液晶表示器１１及び液晶表示器１２をオフ状態にさせる。
【００１６】
制御手段２０は、メインスイッチがオフの状態で、操作部３０から操作信号を入力したとき、液晶表示器１１をオフ状態（停止状態）のままで、液晶表示器１２を起動させる。このとき、液晶表示器１２の第二の表示部１２ｂはオフ状態で、第三の表示部１２ｃにアワーメーター等が表示される（第二の表示状態）。第三の表示部１２ｃは、第二の表示部１２ｂとは異なる電源回路を有しており、操作部３０の操作信号に応じて、点灯／消灯される。
【００１７】
液晶表示器１２の表示項目は、操作部３０を押圧操作に応じて切替わり、液晶表示器１２の第三の表示部１２ｃには、アワーメーター（図４（ａ）），エンジンオイルライフ（図４（ｂ）），エンジンフィルターライフ（図４（ｃ）），作業オイルライフ（図４（ｄ）），作業フィルターライフ（図４（ｅ）），フューエルフィルター（図４（ｆ））が順次表示される。
【００１８】
制御手段２０は、操作部３０から操作信号を入力しない状態（つまり、操作部３０が操作されない状態）が所定時間（例えば１０秒間）継続すると、液晶表示器１２を停止状態にすると共に、最後に表示された表示項目を記憶部２２に記憶させる。再び、操作部３０が操作されたときは、記憶部２２に記憶されている最後の表示項目が表示される。
【００１９】
本実施形態によれば、液晶表示器１１が停止状態であり且つ液晶表示器１２が稼働状態である第二の表示状態で必要な情報を確認できるため、液晶表示器１１及び液晶表示器１２の両方が稼働状態になる場合に比して消費電力が少ない。特に、第一の表示状態で液晶表示器１１に表示させる燃料計を、第二の表示状態で液晶表示器１２に表示させることができるため、メインスイッチをオンすることなく、液晶表示器１２によって残燃料量（物理量）を確認することができる。
【符号の説明】
【００２０】
１０    表示手段
１１    液晶表示器（第一の表示器）
１１ａ  第一の表示部
１２    液晶表示器（第二の表示器）
１２ｂ  第二の表示部
１２ｃ  第三の表示部
２０    制御手段
３０    操作部
【図１】
0006481328.tif 000002
【図２】
0006481328.tif 000003
【図３】
0006481328.tif 000004
【図４】
0006481328.tif 000005